(57)【特許請求の範囲】
【請求項１】
カードが挿着されるハウジングと、カードの挿入及び排出に伴いカードと係合してカードの挿入及び排出方向に移動可能に配設されたスライド部材と、このスライド部材に設けられ、カードの側縁部に形成された係止用凹部と係合離脱する係合部材とを備え、前記係合部材は弾性を有する金属板で形成され、前記ハウジングに、前記スライド部材の前記カードの挿入方向への移動を規制する規制部と、前記係合部材と係合する循環溝とを形成し、前記スライド部材が前記カードの挿入方向へ移動するのに伴って、前記循環溝の往路溝により前記係合部材が前記係止用凹部から離脱しないように規制すると共に、前記スライド部材が前記カードの排出方向へ移動するのに伴って、前記循環溝の復路溝により前記係合部材を前記係止用凹部から離脱する方向へ移動させることで前記係合部材が前記係止用凹部と係合しないように形成し、前記規制部を前記循環溝に連続して形成した規制用溝部で構成すると共に、前記係合部材に前記規制部と当接する当接部を形成し、前記当接部が前記循環溝及び規制用溝部に係合するようにし、前記カードの側縁部に前記係止用凹部が無い場合には、前記カードの側縁部に押圧され前記係合部材が自らの弾性により前記カードの挿入方向と交差する方向に移動するようにして、移動した前記係合部材の当接部が前記ハウジングに形成された前記規制用溝部と当接して前記スライド部材の前記カードの挿入方向への移動を規制するようにしたことを特徴とするカード用コネクタ装置。
【請求項２】
前記スライド部材と前記ハウジングとの間には、前記スライド部材をカードの挿着位置にロックすると共に、前記スライド部材をロック位置から一旦奥方へ移動させることによりロックを解除させてカードを前記スライド部材によって排出させるハート型カム溝と、このハート型カム溝に沿って摺動するロックピンとからなるロック手段が設けられていることを特徴とする請求項１記載のカード用コネクタ装置。
【請求項３】
前記ハウジングに係止突部を形成し、前記係止突部は、前記スライド部材が前記カードの挿着位置へ移動するのに伴って、前記係合部材と係合して前記カードの排出方向への移動を規制し、前記循環溝は、前記スライド部材が前記カードの排出方向へ移動するのに伴って、前記係合部材を前記係止用凹部から離脱する方向へ移動させることで前記係合部材が前記係止突部と係合しないように形成したことを特徴とする請求項１記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、通常、一つのカード用コネクタ装置には特定の一つのメモリーカードを挿着して使用するのが一般的となっていた。
しかしながら、近年では形状が類似している種類のメモリーカードの開発が行われてきており、この中でもカードの接触端子部の配列が同じで、厚みのみが異なる形状の２種類のメモリーカードが開発されている。そして、この類似している２種類のメモリーカードを同時に挿着可能なカード用コネクタ装置の開発も行われており、通常は、２種類のメモリーカードのどちらでも挿着可能な構成に成っている。
【０００５】
【発明が解決しようとする課題】
ここで、上述した同じカード用コネクタ装置に挿入可能な２種類のメモリーカードには、カードの側縁部に凹部が形成されているカードと凹部が形成されていないカードとがある。凹部のあるカードは凹部のないカードの後継的な位置付けであり、凹部の形成されていないカードにはセキュリティ機能や静電気対策が施されていないものがあるが、凹部が形成されたカードはセキュリティ機能や静電気対策が施されたものとなっている。
かかる状況下において、コンポーネントとしてカードに対するセキュリティ機能や静電気対策が要求される場合に、凹部のあるカードと凹部のないカードの両方が挿入可能であるとすると、凹部のないカードに対するセキュリティの確保、静電気対策を採ることができないという問題が発生する。
【０００６】
したがって、本発明では上述した問題点を解決するために、同じカード用コネクタ装置に挿入可能な２種類のメモリーカードのうち、凹部のないカードの挿入を不可として凹部のあるカードのみ挿着可能なカード用コネクタ装置を提供することを目的とする。
【０００７】
【課題を解決するための手段】
上記課題を解決するために本発明では第１の手段として、カードが挿着されるハウジングと、カードの挿入及び排出に伴いカードと係合してカードの挿入及び排出方向に移動可能に配設されたスライド部材と、このスライド部材に設けられ、カードの側縁部に形成された係止用凹部と係合離脱する係合部材とを備え、前記係合部材は弾性を有する金属板で形成され、前記ハウジングに、前記スライド部材の前記カードの挿入方向への移動を規制する規制部と、前記係合部材と係合する循環溝とを形成し、前記スライド部材が前記カードの挿入方向へ移動するのに伴って、前記循環溝の往路溝により前記係合部材が前記係止用凹部から離脱しないように規制すると共に、前記スライド部材が前記カードの排出方向へ移動するのに伴って、前記循環溝の復路溝により前記係合部材を前記係止用凹部から離脱する方向へ移動させることで前記係合部材が前記係止用凹部と係合しないように形成し、前記規制部を前記循環溝に連続して形成した規制用溝部で構成すると共に、前記係合部材に前記規制部と当接する当接部を形成し、前記当接部が前記循環溝及び規制用溝部に係合するようにし、前記カードの側縁部に前記係止用凹部が無い場合には、前記カードの側縁部に押圧され前記係合部材が自らの弾性により前記カードの挿入方向と交差する方向に移動するようにして、移動した前記係合部材の当接部が前記ハウジングに形成された前記規制用溝部と当接して前記スライド部材の前記カードの挿入方向への移動を規制するようにしたことを特徴とする。
【０００９】
また、第２の手段として、前記スライド部材と前記ハウジングとの間には、前記スライド部材をカードの挿着位置にロックすると共に、前記スライド部材をロック位置から一旦奥方へ移動させることによりロックを解除させてカードを前記スライド部材によって排出させるハート型カム溝と、このハート型カム溝に沿って摺動するロックピンとからなるロック手段が設けられていることを特徴とする。
また、第３の手段として、前記ハウジングに係止突部を形成し、前記係止突部は、前記スライド部材が前記カードの挿着位置へ移動するのに伴って、前記係合部材と係合して前記カードの排出方向への移動を規制し、前記循環溝は、前記スライド部材が前記カードの排出方向へ移動するのに伴って、前記係合部材を前記係止用凹部から離脱する方向へ移動させることで前記係合部材が前記係止突部と係合しないように形成したことを特徴とする。
【００１０】
【発明の実施の形態】
以下、本発明の実施形態を図１乃至図１１に示す。図１はカード用コネクタ装置の平面図、図２は同じく縦断面図、図３はカード用コネクタ装置にカードを挿入した状態を示す平面図、図４はハウジングの平面図、図５はスライド部材の平面図、図６から図９はカードの挿入／排出時の動作状態を示し、図６はカードの排出位置（初期位置）を示す部分説明図、図７はカードの挿着位置（ロック位置）を示す部分説明図、図８はカードを排出させるために一旦押し込んだ位置（オーバーストローク位置）を示す部分説明図、図９はカードが排出される途上の状態を示す部分説明図、図１０及び図１１は係止用凹部がないカードの挿入時の動作状態を示し、図１０はカードの挿入前（初期位置）を示す部分説明図、図１１はカードの押し込み時を示す部分説明図である。
【００１１】
図１乃至図５において、ハウジング１は、合成樹脂などの絶縁材で前方及び上方が開口された方形状の箱形に形成されている。このハウジング１の中央には、カードを収容するための収納部１ａが設けられており、また、前記ハウジング１の前面には、前記収納部１ａに連通するカード挿入部１ｂが形成されている。
【００１２】
また、カード挿入部１ｂに対向する前記収納部１ａの奥側には、収容されるカードの接触端子部（図示せず）と接触して、電子機器などの外部の回路基板上の回路パターンと接続されることで信号の伝送が行われる複数のコネクタ端子（図示せず）が並設されたものとなっている。また、前記収納部１ａの両側部には、カードが挿入される際カードの側縁部をガイドして挿入を案内するガイド部１ｃが設けられている。
【００１３】
前記ハウジング１の一側部には、前記収納部１ａに並設して有底状の平坦部１ｄが設けられており、この平坦部１ｄに後述するスライド部材４がカードの挿入方向に移動可能に配設されるものとなっている。また、前記平坦部１ｄの中央には、後述するスライド部材４に設けられた係合部材５と係合する底面の高さが異なる複数の斜面や平面からなる環状の循環溝１ｅが形成されており、この循環溝１ｅに並列して同じく係合部材５と係合する突出した係止突部１ｆが設けられている。
【００１４】
前記循環溝１ｅは、カードの挿入時に係合部材５が係合する往路溝１ｇと、カードの排出時に係合部材５が係合する復路溝１ｈとから形成されており、また、前記往路溝１ｇの前端部には、往路溝１ｇに連続して逆Ｊ字状をした規制用溝部１ｉが形成されている。この規制用溝部１ｉを設けることにより、カードの側縁部に係止用凹部のない本来挿着されないタイプのカードが挿入された場合には、係合部材５が前記規制用溝部１ｉ内に案内されて規制されることで、後述するスライド部材４のカードの挿入方向への移動が規制されるようになっている。
【００１５】
前記係止突部１ｆは、カードの挿入側から奥方に向かって立ち上がる傾斜面１ｊと、この傾斜面１ｊの後端側に形成された立壁面１ｋから形成されており、カードを挿入する際には係合部材５はスライド部材４と共にカードの挿着位置に移動する途中で前記傾斜面１ｊに沿って前記係止突部１ｆを乗り越えて、カードの挿着位置まで移動するようになっている。
【００１６】
また、前記平坦部１ｄの一端側には、後述するスライド部材４をカードの挿着位置にロックさせる、略Ｕ字状の金属材からなるロックピン２の一端が軸支される軸孔１ｌが形成されており、この軸孔１ｌと対向する他端側には、後述するスライド部材４をカードの排出方向へ付勢する、コイル状の復帰ばね３が収容されるばね収容部１ｍが形成されている。
【００１７】
スライド部材４は、合成樹脂などの絶縁材から略Ｌ字状に形成されており、長方形状の基部４ａと、この基部４ａの先端側に交差する方向に延設されたカード受け部４ｂとを有している。このカード受け部４ｂは、前記ハウジング１の収納部１ａ内に突出されており、挿入される後述するカード７の前端縁と当接して前記スライド部材４をカードの挿入方向へ移動させるものとなっている。
【００１８】
また、前記基部４ａの中央下面側には、後述する係合部材５が揺動可能に保持される係合部材保持部４ｃが形成されており、この係合部材保持部４ｃには、係合部材５の固定部５ａを支持する支持孔部４ｄが設けられている。また、前記基部４ａの後端側上面には、複数の斜面や平面からなる環状のハート型カム溝４ｅが形成されている。このハート型カム溝４ｅに、前記ハウジング１の平坦部１ｄの一端側に軸支される前記ロックピン２の他端側が摺動することで、前記スライド部材４がカードの挿着位置にロックされ、また排出位置に移動されるものとなっている。
【００１９】
また、前記基部４ａの先端側には、前記ハウジング１のばね収容部１ｍに収容された、前記復帰ばね３の一端側が係止されるばね係止部４ｆが設けられており、前記復帰ばね３の付勢力によって前記スライド部材４はカードの排出方向へ付勢されるものとなっている。この時、前記ロックピン２と前記ハート型カム溝４ｅとの協同によって前記スライド部材４は、前記復帰ばね３の付勢力に抗してカードの挿着位置に保持されるものとなっている。
【００２０】
係合部材５は、弾性を有する金属板を打ち抜き、複数箇所で折り曲げて弾性変形可能に形成されており、前記スライド部材４の係合部材保持部４ｃに揺動可能に保持されている。この係合部材５の一端部には、前記支持孔部４ｄに固着される固定部５ａが設けられており、これと対向する他端部には、後述するカード７の係止用凹部７ｄに係合される鉤状をした係止部５ｂが形成されている。また、前記固定部５ａと前記係止部５ｂの中間部には、板ばね状の弾性変形可能な第１、第２の弾性片部５ｃ、５ｄが、互いに交差する方向に９０度折り曲げられて形成されている。
【００２１】
そして、前記係合部材５が前記スライド部材４と共にカードの挿着位置に移動する途中において、前記第１の弾性片部５ｃが弾性変形することにより、前記係止部５ｂが前記傾斜面１ｊに沿って前記係止突部１ｆを乗り越えて、カードの挿着位置まで移動することが可能となっている。また、前記第２の弾性片部５ｄにより、前記係止部５ｂが、前記循環溝１ｅに沿ってカード７の係止用凹部７ｄに対して係合離脱する方向へ弾性変形可能となるように形成されている。
【００２２】
また、鉤状をした前記係止部５ｂには、カードの排出方向と直交する方向に平行面からなる係止縁部５ｅが形成されており、この係止縁部５ｅがカード７の係止用凹部７ｄの内側縁部と係合することによりカードの排出方向への移動を規制するものとなっている。また、前記係止部５ｂには、前記循環溝１ｅを摺動する摺動ピン５ｆが形成されており、この摺動ピン５ｆが前記循環溝１ｅと係合、摺動することにより前記第２の弾性片部５ｄが弾性変形されて、前記係止部５ｂとカード７の係止用凹部７ｄとの係合離脱を可能としている。また、前記係止部５ｂには、前記係止突部１ｆを乗り越える際に、前記傾斜面１ｉに当接してその摺動を容易にするための曲げ部を有する摺動部５ｇが形成されている。
【００２３】
また、カードの挿入時に、カードの側縁部に係止用凹部のない本来挿着されないタイプのカードが挿入された場合には、カードの側縁部で前記係止部５ｂが押圧されて前記第２の弾性片部５ｄが弾性変形することにより、前記摺動ピン５ｆが前記循環溝１ｅの規制用溝部１ｉ内に案内されるものとなる。この時、前記摺動ピン５ｆが前記規制用溝部１ｉの端縁に当接することとなり、前記規制用溝部１ｉと摺動ピン５ｆとで規制部と当接部を構成することで、前記スライド部材４がカードの挿入方向へ移動するのを規制するものとなっている。
【００２４】
カバー６は、導電性の金属板から形成されており、前記ハウジング１の上面側の開口部を覆うように、前記ハウジング１の上面側に取り付けられている。このカバー６の前端側には、円弧状の切り欠きからなるカード挿入部６ａが形成されており、これに隣接する右前端部には、切り曲げることにより前記ハウジング１の平坦部１ｄ側へ突出されたばね片６ｂが形成されている。このばね片６ｂは、前記ロックピン２に対応した位置に形成されており、前記ロックピン２を付勢することで、前記ロックピン２の他端側を前記スライド部材４のハート型カム溝４ｅと摺接させるようになっている。
【００２５】
尚、このカバー６は前記ハウジング１の収納部１ａに配設された複数のコネクタ端子（図示せず）の上面を覆うように形成されており、外部からの輻射ノイズ等の侵入を防止するシールド板の役目も果たしている。
【００２６】
カード７は、内部に集積回路（ＩＣ）が収納されており、記録媒体として広く使用されているものである。このカード７の一表面には、その一端側に複数の接触端子部（図示せず）が形成されており、この接触端子部が前記ハウジング１の収納部１ａに配設された複数のコネクタ端子（図示せず）と接触することにより、外部に接続された電子機器との種々の情報処理が行われるものとなっている。
【００２７】
また、前記カード７には、前端側の一隅部に、斜面状の切り欠き部７ａが設けられている。前記カード７が前記スライド部材４に挿入された時、この切り欠き部７ａと前端縁が、前記スライド部材４のカード受け部４ｂと係合することによって、前記スライド部材４が前記カード７の挿入に伴って挿入方向へ移動可能となるように形成されている。
【００２８】
また、前記カード７の一側面部には、カードの書き込み禁止を示す識別部である凹溝部７ｂが形成され、この凹溝部７ｂにはスライド可能な識別子７ｃが設けられている。この識別子７ｃをスライド移動させることにより、前記凹溝部７ｂの位置を変更することができ、この位置に応じてカードへの書き込みの可否を変更することが可能となっている。
【００２９】
また、前記カード７の他側面部には、係止用凹部７ｄが形成されている。この係止用凹部７ｄに、前記スライド部材４の係合部材保持部４ｃに揺動可能に保持された前記係合部材５の係止部５ｂが係合することで前記カード７を前記スライド部材４と共に、カードの挿着位置に保持させるものとなっている。
【００３０】
次に、図６乃至図９を用いて前記カード７をコネクタ装置に挿入する場合の動作を説明する。
まず、初期の状態、すなわち前記カード７が排出位置にある場合には、前記スライド部材４は前記復帰ばね３の付勢力によりカードの排出方向へ付勢されている。この場合、前記カード７の接触端子部（図示せず）は前記ハウジング１のコネクタ端子（図示せず）とは離間している。この時、前記カード７は、前記係合部材５の係止部５ｂにより前記係止用凹部７ｄが係合されて前記スライド部材４に保持されたものとなっている。（図６）
【００３１】
尚、この時には、前記係合部材５の係止部５ｂに設けられた前記摺動ピン５ｆは、前記循環溝１ｅ内を前記係止用凹部７ｄから離脱する方向へ移動可能となるように形成されており、この状態から前記カード７を取り出す場合には、前記係合部材５の第２の弾性片部５ｄが撓むことによって前記摺動ピン５ｆが前記係止用凹部７ｄから離脱する方向へ移動し、この移動に伴い前記係止部５ｂが前記係止用凹部７ｄから外れることによりカード７を容易に取り出すことが可能となっている。
【００３２】
次に、前記カード７をカードの挿入方向へ押圧してやると、前記カード７の切り欠き部７ａと前端縁が前記スライド部材４のカード受け部４ｂと係合することによって、前記スライド部材４が前記カード７の挿入に伴って挿入方向へ移動可能となり、前記復帰ばね３の付勢力に抗して前記スライド部材４がカードの挿入方向へ移動して、前記ロックピン２の他端部が前記ハート型カム溝４ｅをトレースしてロック位置すなわちカードの挿着位置にロックされる。（図７）
【００３３】
この場合、前記カード７の接触端子部（図示せず）と前記ハウジング１に配設されたコネクタ端子（図示せず）とが接触するものとなる。この時、前記係合部材５の摺動ピン５ｆは、前記循環溝１ｅに横方向の動きが規制されて前記往路溝１ｇに沿ってカードの挿入方向に移動するものとなるが、前記係止部５ｂは、前記摺動部５ｇが前記ハウジング１に設けられた係止突部１ｆの傾斜面１ｊを摺動して、前記弾性片部５ｃが自身のばね性によって弾性変形することにより前記係止突部１ｆを乗り越えて、カードの挿着位置まで移動することが可能となっている。
【００３４】
この時、前記係合部材５の係止部５ｂは、前記ハウジング１に設けられた係止突部１ｆの立壁面１ｋに係合され、カードの排出方向への移動を規制されており、また、前記係止部５ｂの摺動ピン５ｆが、前記循環溝１ｅにより縦方向すなわちカードの挿入方向の移動のみに規制されていることから、前記係合部材５は横方向すなわち前記カード７の係止用凹部７ｄから離脱する方向へは回動することができず、前記カード７はカードの挿着位置に確実に保持されるものとなる。
【００３５】
また、前記前記係止部５ｂには、カードの排出方向と直交する方向に平行面からなる前記係止縁部５ｅが形成されており、この係止縁部５ｅが前記カード７の係止用凹部７ｄの内側縁部と係合することによりカードの排出方向への移動を規制するように形成されていることから、より確実に前記カード７を挿着位置に保持することが可能となっている。
【００３６】
また、この場合、前記スライド部材４も前記係止部５ｂと前記係止突部１ｆとの係合によりカードの排出方向への移動が規制されていることから、前記スライド部材４にカードの排出方向への無理な力が加わったとしても、前記ハート型カム溝４ｅに係合しているロックピン２に無理な力が加わることが無くなるので、ロックピン２のロックの外れや変形などを防止することができるものとなっている。
【００３７】
次に、前記カード７を排出する場合には、図７の状態から、更に前記カード７を奥方すなわちカードの挿入方向へ押圧してやると、前記スライド部材４が奥方へ移動して前記ロックピン２の他端部が前記ハート型カム溝４ｅのロック部から外れる。これと共に、前記係合部材５の係止部５ｂも前記係止突部１ｆから外れて、前記摺動ピン５ｆが前記循環溝１ｅに沿って奥方へ移動して往路溝１ｇから復路溝１ｈへと移動するものとなる。（図８）
【００３８】
そして、前記カード７への押圧を解除すると、前記スライド部材４は前記復帰ばね３の付勢力によってカードの排出位置である初期位置へ復帰するものとなる。この時、前記係止部５ｂの摺動ピン５ｆが前記循環溝１ｅの復路溝１ｈへと移動することにより、前記第２の弾性片部５ｄが自身のばね性によって弾性変形し、前記係止部５ｂが前記カード７の係止用凹部７ｄから外れると共に、前記ハウジング１の係止突部１ｆを迂回することで前記スライド部材４はカードの排出位置へ移動されるものとなっている。（図９）
【００３９】
このように、前記スライド部材４と前記ハウジング１との間には、前記スライド部材４をカードの挿着位置にロックすると共に、前記スライド部材４をロック位置から一旦奥方へ移動させることによりロック状態を解除させて、前記カード７を前記スライド部材４によって排出させるための前記ハート型カム溝４ｅと、このハート型カム溝４ｅに沿って摺動する前記ロックピン２とからなるロック手段が設けられているので、簡単な構造で、前記カード７をカードの挿着位置にロックできると共に、前記カード７をカードの排出位置に円滑に排出させることができるものとなっている。
【００４０】
次に、図１０及び図１１を用いて、カードの側縁部に係止用凹部のない本来挿着されないタイプのカード８がコネクタ装置に挿入された場合の動作を説明する。
【００４１】
まず、初期の状態、すなわち前記カード８が排出位置にある場合には、前記スライド部材４は前記復帰ばね３の付勢力によりカードの排出方向へ付勢されている。この場合、前記カード７の時と同じく前記カード８の接触端子部（図示せず）は前記ハウジング１のコネクタ端子（図示せず）とは離間している。この時、前記係合部材５の係止部５ｂは前記カード８の側縁部によって押圧され、カードの挿入方向とは交差する方向に付勢されて前記第２の弾性片部５ｄのばね性により反時計方向に弾性変形されたものとなっている。そして、前記係止部５ｂに設けられた前記摺動ピン５ｆが、前記循環溝１ｅの前端部に沿って前記規制用溝部１ｉ内に移動した状態となっている。（図１０）
【００４２】
次に、この状態から前記カード８をカードの挿入方向へ押圧してやると、前記カード８の切り欠き部８ａと前端縁が前記スライド部材４のカード受け部４ｂと係合することによって、前記スライド部材４が前記復帰ばね３の付勢力に抗して前記カード８の挿入に伴って挿入方向へ移動する。この時、前記係合部材５の係止部５ｂに設けられた前記摺動ピン５ｆが、前記規制溝部１ｉの端縁に当接することとなり、この当接により、前記スライド部材４はカードの挿入方向への移動が規制され、これと共に、前記カード８の挿入も規制されるものとなる。（図１１）
【００４３】
このように、カードの側縁部に係止用凹部のない本来挿着されないタイプのカード８がコネクタ装置に挿入された場合には、前記循環溝１ｅの前端部に形成された前記規制用溝部１ｉと、前記係合部材５の係止部５ｂに設けられた前記摺動ピン５ｆとで、規制部と当接部を構成することにより、前記カード８のコネクタ装置への挿入を規制して、本来挿着されないタイプのカード８の挿着を不可能としている。
【００４４】
上記実施例の構成によれば、前記ハウジング１に設けられた前記循環溝１ｅに、前記スライド部材４の挿入方向への移動を規制する規制部となる前記規制用溝部１ｉを形成すると共に、前記スライド部材４に設けられた係合部材５に、前記規制用溝部１ｉと当接する当接部となる前記摺動ピン５ｆを形成して、前記係合部材５を、挿入されるカードの側縁部に前記係止用凹部７ｄが有るか否かによってカードの挿入方向と交差する方向に移動可能に設けるようにしてあるので、カードの側縁部に前記係止用凹部７ｄが無い場合には、前記係合部材５がカードの挿入方向と交差する方向（反時計方向）に移動することにより、前記摺動ピン５ｆが前記循環溝１ｅに形成された前記規制用溝部１ｉと当接して前記スライド部材４の挿入方向への移動を規制することから、カードの側縁部に前記係止用凹部７ｄが形成されていない前記カード８、すなわち静電気に弱いタイプのカードを挿入した場合には、前記スライド部材４の挿入方向への移動が規制されるため、挿着が不可能となっている。
【００４５】
これに対して、カードの側縁部に前記係止用凹部７ｄが形成されている前記カード７、すなわちセキュリティ機能の充実したカードの挿着は可能となっているため、種類の異なる類似したカードの誤挿入を防止してカードが破壊するのを防ぐことができるものとなっている。
【００４６】
また、前記ハウジング１には、前記スライド部材４がカードの排出方向へ移動するのに伴って、前記係合部材５と係合してこの係合部材５の係止部５ｂを前記カード７の係止用凹部７ｄから離脱する方向へ移動させる前記循環溝１ｅを設けると共に、この循環溝１ｅに連続して前記規制用溝部１ｉを形成してこの規制用溝部１ｉを規制部として構成したので、規制部を別に設けることなく、前記係合部材５を前記係止用凹部７ｄから離脱する方向へ移動させる前記循環溝１ｅを利用した簡易な構造で前記スライド部材４の挿入方向への移動を規制することができるものとなっている。
【００４７】
【発明の効果】
以上説明したように、本発明のカード用コネクタ装置は、カードが挿着されるハウジングと、カードの挿入／排出に伴いカードと係合してカードの挿入／排出方向に移動可能に配設されたスライド部材と、このスライド部材に設けられ、カードの側縁部に形成された係止用凹部と係合離脱する係合部材とを備え、ハウジングに、スライド部材の挿入方向への移動を規制する規制部を形成すると共に、係合部材に規制部と当接する当接部を形成し、係合部材は、カードの側縁部に係止用凹部が有るか否かによってカードの挿入方向と交差する方向に移動可能に設けられ、カードの側縁部に係止用凹部が無い場合には、係合部材がカードの挿入方向と交差する方向に移動することにより、当接部がハウジングに形成された規制部と当接してスライド部材の挿入方向への移動を規制するようにしたことから、カードの側縁部に係止用凹部が形成されていないカード、すなわち静電気に弱いタイプのカードを挿入した場合には、スライド部材の挿入方向への移動が規制されるため、挿着できず、係止用凹部が形成されているカード、すなわちセキュリティ機能の充実したカードのみ挿着が可能となるため、種類の異なる類似したカードの誤挿入を防止してカードが破壊するのを防ぐことができる。
【００４８】
また、ハウジングには、スライド部材がカードの排出方向へ移動するのに伴って、係合部材と係合してこの係合部材を係止用凹部から離脱する方向へ移動させる循環溝を設けると共に、この循環溝に連続して規制用溝部を形成し、この規制用溝部を規制部としたことから、規制部を別に設けることなく、係合部材を係止用凹部から離脱する方向へ移動させる循環溝を利用した簡易な構造でスライド部材の挿入方向への移動を規制することができる。
【００４９】
また、スライド部材とハウジングとの間には、スライド部材をカードの挿着位置にロックすると共に、スライド部材をロック位置から一旦奥方へ移動させることによりロックを解除させてカードをスライド部材によって排出させるハート型カム溝と、このハート型カム溝に沿って摺動するロックピンとからなるロック手段が設けられていることから、簡単な構造で、カードを挿着位置にロックできると共に、カードを排出位置に円滑に排出させることが可能となる。
【図面の簡単な説明】
【図１】本発明の一実施例であるカード用コネクタ装置を示す平面図である。
【図２】本発明の同じくカード用コネクタ装置を示す縦断面図である。
【図３】本発明のカード用コネクタ装置にカードを挿入した状態を示す平面図である。
【図４】本発明のカード用コネクタ装置のハウジングを示す平面図である。
【図５】本発明のカード用コネクタ装置のスライド部材を示す平面図である。
【図６】本発明のカード用コネクタ装置のカードの排出位置（初期位置）を示す部分説明図である。
【図７】本発明のカード用コネクタ装置のカードの挿着位置（ロック位置）を示す部分説明図である。
【図８】本発明のカード用コネクタ装置のカードを排出させるために一旦押し込んだ位置（オーバーストローク位置）を示す部分説明図で有る。
【図９】本発明のカード用コネクタ装置のカードが排出される途上の状態を示す部分説明図である。
【図１０】本発明のカード用コネクタ装置の係止用凹部がないカードの挿入前（初期位置）を示す部分説明図である。
【図１１】本発明のカード用コネクタ装置の係止用凹部がないカードの押し込み時を示す部分説明図である。
【符号の説明】
１  ハウジング
１ａ  収納部
１ｂ  カード挿入部
１ｃ  ガイド部
１ｄ  平坦部
１ｅ  循環溝
１ｆ  係止突部
１ｇ  往路溝
１ｈ  復路溝
１ｉ  規制用溝部（規制部）
１ｊ  傾斜面
１ｋ  立壁部
１ｌ  軸孔
１ｍ  ばね収容部
２  ロックピン
３  復帰ばね
４  スライド部材
４ａ  基部
４ｂ  カード受け部
４ｃ  係合部材保持部
４ｄ  支持孔部
４ｅ  ハート型カム溝
４ｆ  ばね係止部
５  係合部材
５ａ  固定部
５ｂ  係止部
５ｃ  第１の弾性片部
５ｄ  第２の弾性片部
５ｅ  係止縁部
５ｆ  摺動ピン（当接部）
５ｇ  摺動部
６  カバー
６ａ  カード挿入部
６ｂ  ばね片
７，８  カード
７ａ，８ａ  切り欠き部
７ｂ  凹溝部
７ｃ  識別子
７ｄ  係止用凹部
【図１】
0003917834.tif 000002
【図２】
0003917834.tif 000003
【図３】
0003917834.tif 000004
【図４】
0003917834.tif 000005
【図５】
0003917834.tif 000006
【図６】
0003917834.tif 000007
【図７】
0003917834.tif 000008
【図８】
0003917834.tif 000009
【図９】
0003917834.tif 000010
【図１０】
0003917834.tif 000011
【図１１】
0003917834.tif 000012